(57)【要約】      （修正有）【課題】患者保持装置が椅子状態の離床位置（チェアイグレスポジション）に移動する間にサイズが変化する膨張式マットレスを有する患者保持装置を提供する。【解決手段】患者保持装置は、リニアアクチュエータの動作により、足側デッキ部分を、大腿デッキ部分に対して相対的に移動させて、大腿デッキ部分の表面と足側デッキ部分の表面が可変の角度１０２を形成するようになり、水平方向ベッド位置から椅子状態の離床位置への病院用ベッドの移行において、大腿部分の袋組立品３４および足側部分の袋組立品３２が収縮する。【選択図】図３
2012139486.tif 000002
【特許請求の範囲】
【請求項１】
患者保持装置であって、
圧縮空気供給源と、
前記圧縮空気供給源と流体連通する袋組立品を含む膨張式保持構造と、
袋組立品の膨張および収縮時に前記膨張式保持構造のサイズおよび位置を制御するための、袋組立品と釣り合って膨張式保持構造に作用するバイアス部材を含む格納管理システムとを備える
ことを特徴とする患者保持装置。
【請求項２】
前記患者保持装置がさらに、前記袋組立品内の圧力を変化させる圧縮空気供給源を制御するためのコントローラを含むことを特徴とする、請求項１に記載の患者保持装置。
【請求項３】
前記袋組立品が、長さ、幅、および深さを有し、格納管理システムが、深さ寸法を最小化するよう前記袋組立品に作用する弾性繊維を含むことを特徴とする、請求項１に記載の患者保持装置。
【請求項４】
前記格納管理システムが、前記長さ寸法を最小化するように前記袋組立品にも作用することを特徴とする、請求項３に記載の患者保持装置。
【請求項５】
前記袋組立品が、長さ、幅、および深さを有し、前記格納管理システムに、前記長さ寸法を最小化するよう前記袋組立品に作用する弾性繊維を含むことを特徴とする、請求項１に記載の患者保持装置。
【請求項６】
バイアス部材が前記袋組立品の袋内に形成される開口部を通過することを特徴とする、請求項５に記載の患者保持装置。
【請求項７】
前記格納管理システムが、前記袋組立品の袋内に形成された前記開口部を通過する前記バイアス部材の第一の端に結合されたアンカーをさらに含むことを特徴とする、請求項６に記載の患者保持装置。
【請求項８】
前記格納管理システムが、前記袋内に形成された前記開口部を通過する前記バイアス部材の第二の端に結合されたリテイナーをさらに含み、その前記バイアス部材が前記リテイナーを前記袋に接して圧迫させ、前記袋の膨張および収縮時に前記袋の位置およびサイズを制御するように、前記リテイナーが前記アンカーの方へ向いて圧迫させられることを特徴とする、請求項７に記載の患者保持装置。
【請求項９】
前記袋組立品が、複数の隣接した袋を含み、前記バイアス部材がそれぞれの前記袋内に形成される開口部を通過し、前記リテイナーが第一の前記袋に接して圧迫させられ、またその前記第一の袋が隣接した袋に作用し、順次それぞれの前記袋が隣接した袋に作用して、前記袋組立品の膨張および収縮時に前記袋組立品の位置およびサイズを制御することを特徴とする、請求項８に記載の患者保持装置。
【請求項１０】
それぞれの前記袋に複数の開口部が形成され、それぞれの前記袋の前記開口部が隣接した前記袋の前記開口部と整列して、複数の前記袋を通過する経路を形成し、前記格納管理システムが複数の前記バイアス部材を含み、それぞれの前記バイアス部材が複数の前記袋内に形成された別個の経路を通過することを特徴とする、請求項９に記載の患者保持装置。
【請求項１１】
それぞれの前記バイアス部材は、アンカーおよびリテイナーに結合され、各リテイナーが前記袋組立品に作用して、前記袋組立品の膨張および収縮時に前記袋組立品の位置およびサイズを制御することを特徴とする、請求項１０に記載の患者保持装置。
【請求項１２】
前記患者保持装置が、デッキ部分の長さを変化させるために伸長及び格納するアクチュエータを有する可変長のデッキ部分と、前記圧力供給源および前記アクチュエータに接続されたコントローラとをさらに備え、その前記コントローラが前記袋組立品の膨張および収縮を前記アクチュエータの伸長および格納により調整することを特徴とする、請求項１１に記載の患者保持装置。
【請求項１３】
前記格納管理システムが、前記袋組立品に作用して前記袋組立品の膨張および収縮時に前記袋組立品の深さを管理する深さ制御組立品をさらに備えることを特徴とする、請求項１２に記載の患者保持装置。
【請求項１４】
前記深さ制御組立品が前記袋組立品上に横たわる上側リテイナーと前記袋組立品の反対の横方向の側（lateral sides）に位置する一対のバイアス部材とを備え、その前記バイアス部材が前記上側リテイナーを圧迫して、前記袋組立品と連動して、前記袋組立品内の圧力により生じる力と前記深さ制御組立品により生じる力との間の釣り合いを維持することにより、前記袋組立品の深さを制御することを特徴とする、請求項１３に記載の患者保持装置。
【請求項１５】
前記深さ制御組立品がさらに下側リテイナーと、それぞれの一端が前記上側リテイナーに固定されて他端が前記下側リテイナーに固定された前記バイアス部材とを備え、その前記バイアス部材が両方の前記リテイナーを圧迫して、前記袋組立品内の圧力により生じる力と前記深さ制御組立品により生じる力との間の釣り合いを維持することにより、前記袋組立品の深さを制御することを特徴とする、請求項１４に記載の患者保持装置。
【請求項１６】
前記深さ制御組立品の前記バイアス部材が、それぞれ一端が前記上側リテイナーと、反対側の端が前記デッキと固定されることを特徴とする、請求項１４に記載の患者保持装置。
【請求項１７】
前記格納管理システムが、前記袋組立品に作用して前記袋組立品の膨張および収縮時に前記袋組立品の深さを管理する深さ制御組立品を備える
ことを特徴とする、請求項１に記載の患者保持装置。
【請求項１８】
前記深さ制御組立品が前記袋組立品上に横たわる上側リテイナーと前記袋組立品の反対の横の側に位置する一対のバイアス部材とを備え、その前記バイアス部材が前記上側リテイナーを圧迫し、前記袋組立品内の圧力により生じる力と前記深さ制御組立品により生じる力との間の釣り合いを維持することにより、前記袋組立品の深さを制御するよう前記袋組立品と連動することを特徴とする、請求項１７に記載の患者保持装置。
【請求項１９】
前記深さ制御組立品がさらに下側リテイナーと、それぞれ一端が前記上側リテイナーと、反対側の端が前記下側リテイナーとに固定された前記バイアス部材とを備え、その前記バイアス部材が両方の前記リテイナーを圧迫して、前記袋組立品内の圧力により生じる力と前記深さ制御組立品により生じる力との間の釣り合いを維持することにより、前記袋組立品の深さを制御することを特徴とする、請求項１８に記載の患者保持装置。
【請求項２０】
患者保持装置がさらに、デッキ部分の長さを変化させるために伸長及び格納するアクチュエータを有する可変長の前記デッキ部分と、前記圧力供給源および前記アクチュエータに接続されたコントローラとを備え、その前記コントローラが前記袋組立品の膨張および収縮を前記アクチュエータの伸長および格納により調整し、また前記深さ制御組立品の前記バイアス部材がそれぞれ一端が前記上側リテイナーと、反対側の端が前記デッキとに固定されることを特徴とする、請求項１８に記載の患者保持装置。
【発明の詳細な説明】
【技術分野】
【０００１】
本開示は、膨張式マットレスを含む、患者保持装置に関連する。さらに具体的に言えば、本開示は、患者保持装置が椅子状態の離床位置（チェアイグレスポジション）に移動する間にサイズが変化する膨張式マットレスを有する患者保持装置に関連する。
【背景技術】
【０００２】
例えば、病院用ベッドなどの患者保持装置には、デッキ部分のサイズを変化させるための伸長可能または格納可能なデッキ部分が含まれ得る。例えば、患者保持装置には、患者保持装置上の患者の足を保持する足支えとしての役目をする足側デッキ部分が伸長可能または格納可能な、下腿を保持するデッキ部分が含まれ得る。Ｈｉｌｌ−Ｒｏｍ（登録商標）  ＴｏｔａｌＣａｒｅ（登録商標）ベッドなど、椅子状態の離床位置へ移動する患者保持装置では、足側デッキ部分は、足側デッキ部分が概ね垂直の位置に下降した時に床と衝突するのを防ぐために格納し得る。
【０００３】
病院用ベッドが、椅子状態の離床位置へ移動するとき、病院用ベッドのマットレスの脚部は、離床の過程中に患者の脚に対して障害を呈する場合がある。マットレスはまた、ベッドの脚部の格納時に、サイズが小さくならなければならない。膨張式マットレスの場合には、マットレスを収縮させて、マットレスのサイズを減少させ得る。マットレスの素材は、脚部が収縮するときに、マットレスの脚部に空気によって提供される支持が不足するために、ときには床に垂れ下がることがある。
【発明の概要】
【発明が解決しようとする課題】
【０００４】
本出願は、添付した請求項に詳説した１つ以上の特徴および／または単独あるいは任意の組み合わせにより特許性のある主題を構成し得る下記の特徴を開示する。
【０００５】
本開示によれば、患者保持装置は、圧縮空気供給源、膨張式保持構造、および格納管理システムを含む。膨張式保持構造は、圧縮空気供給源と流体連通する袋組立品（bladder assembly）とを含む。格納管理システムは、袋組立品の膨張および収縮時に膨張式保持構造のサイズおよび位置を制御するための、袋組立品と釣り合って膨張式保持構造に作用するバイアス部材を含む。
【０００６】
一部の実施態様において、患者保持装置はさらに、袋組立品内の圧力を変化させる圧縮空気供給源を制御するためのコントローラを含む。
【０００７】
袋組立品は、長さ、幅、および深さを含み得る。格納管理システムは、深さ寸法を最小化するために、袋組立品に作用する弾性材料を含み得る。格納管理システムはまた、長さ寸法を最小化するためにも袋組立品に作用し得る。
【０００８】
一部の実施態様において、格納管理システムのバイアス部材は、袋組立品の袋（bladder）内に形成される開口部を通過する。格納管理システムはさらに、袋組立品の袋内に形成される開口部を通過するバイアス部材の第一の端に結合されたアンカーを含み得る。格納管理システムはさらに、バイアス部材の第二の端に結合されたリテイナーを含み得る。バイアス部材は、袋の膨張および収縮時に袋の位置およびサイズを制御するために、リテイナーを袋に対して圧迫して、リテイナーがアンカーの方に向けて圧迫させられるようにし得る。
【０００９】
一部の実施態様において、袋組立品は複数の隣接した袋を含み、バイアス部材は、それぞれの袋内に形成された開口部を通過する。リテイナーは、第一の袋に対して圧迫させられ、その第一の袋が隣接した袋に作用する。袋組立品の膨張および収縮時に袋組立品の位置およびサイズを制御するために、順次それぞれの袋が隣接した袋に作用する。
【００１０】
一部の実施態様において、それぞれの袋は、それぞれの袋の開口部が隣接した袋の開口部と整列して複数の袋を通過する経路を形成するよう、複数の開口部が形成される。格納管理システムは、複数のバイアス部材を含み得るが、それぞれのバイアス部材は複数の袋により形成された別個の経路を通過する。それぞれのバイアス部材は、アンカーおよびリテイナーに結合し得るが、各リテイナーは袋組立品に作用して、袋組立品の膨張および収縮時に袋組立品の位置およびサイズを制御する。
【００１１】
一部の実施態様において、患者保持装置はさらに、デッキ部分の長さを変化させるために延長および格納するアクチュエータと、圧力供給源およびアクチュエータに連結されたコントローラとを持つ可変長のデッキ部分を含む。コントローラは、袋組立品の膨張および収縮をアクチュエータの伸長および格納により調整する。
【００１２】
格納管理システムはさらに、袋組立品の膨張および収縮時に袋組立品の深さを管理するために袋組立品に作用する深さ制御組立品を含み得る。深さ制御組立品は、袋組立品上に横たわる上側リテイナーおよび袋組立品の反対の横方向の側面に位置する一対のバイアス部材を含み得る。バイアス部材は、上側リテイナーを圧迫させて袋組立品を連動させ、袋組立品内の圧力により加わる力と深さ制御組立品により加わる力との間の釣り合いを維持することにより、袋組立品の深さを制御する。
【００１３】
一部の実施態様において、深さ制御組立品のバイアス部材は、それぞれ一端で上側リテイナーと、反対側の端でデッキとに固定されている。
【００１４】
深さ制御組立品はさらに、下側リテイナーを含み得る。バイアス部材は、それぞれ一端で上側リテイナー、また他端で下側リテイナーに固定され得る。次に、バイアス部材は、両方のリテイナーを圧迫させて、袋組立品内の圧力により加わる力と深さ制御組立品により加わる力との間の釣り合いを維持することにより、袋組立品の深さを制御する。
【図面の簡単な説明】
【００１５】
【図１】図１は、伸長可能および格納可能な足側デッキ部分を含む患者保持装置の斜視図であり、患者保持装置は椅子状態の離床位置に移動可能である。
【図２】図２は、足側デッキ部分が上昇位置にある図１の患者保持装置の一部の側面図である。
【図３】図３は、図２と類似した図で、足側デッキ部分を下降及び格納した状態で、患者保持装置のマットレスの脚部が折りたたまれている。
【図４】図４は、袋本体内に形成された２つの開口部を含む袋の斜視図である。
【図５】図５は、図１の患者保持装置の足側端部の上面図であり、一部を除去して、袋組立品が膨張した状態で、マットレスの足側端部の袋組立品が見える。
【図６】図６は、袋組立品を部分的に膨張させた、図５の袋組立品の上面図である。
【図７】図７は、図６の線７−７に沿って切り取った図６の患者保持装置のマットレス断面図である。
【図８】図８は、格納管理システムを含むマットレスの別の実施態様の断面図である。
【図９】図９は、マットレスの深さが格納管理システムによって低減されている、図８と類似した図である。
【図１０】図１０は、格納管理システムを含むマットレスのさらに別の実施態様の断面図である。
【図１１】図１１は、マットレスの深さが格納管理システムによって低減されている、図１０と類似した図である。
【発明を実施するための形態】
【００１６】
図１で示す病院用ベッド１０として例証的に実施した患者保持装置は、下部フレーム１２と下部フレーム１２に対して相対的に移動可能な上部フレーム１４とを含む。上部フレーム１４は、２対のリフトアーム１６および１８上にそれぞれ保持されている。リフトアーム１６は、概して下部フレーム１２の足側端部１０８に位置し、リフトアーム１８は、概して下部フレーム１２の頭側端部１１０に位置する。病院用ベッド１０の足側端部１０８および頭側端部１１０への言及は、方向の言及をすることを意図するものであって、病院用ベッド１０の特定の任意の表面または要素に言及するものではない。図１の病院用ベッド１０は、図１に示すとおり水平方向ベッド位置から椅子状態の離床位置に移動可能で、そこで病院用ベッド１０の足側デッキ部分２０が図３に示す概ね垂直な位置に下降する。病院用ベッド１０に保持された患者は、病院用ベッド１０の足側端部１０８から、座った姿勢で病院用ベッド１０を離床又は退出し得る。
【００１７】
図２〜図３に示すとおり、病院用ベッド１０の足側デッキ部分２０は、ベース２２と、ベース２２に対して相対的に移動可能で足側デッキ部分２０の長さを変化させるエクステンダー２４とを含む。足側デッキ部分２０は、マットレス２８の少なくとも一部分を保持する保持面２６を定義する。保持面２６は、サイズを変更可能で、足側デッキ部分２０の長さを長くするためにエクステンダー２４がベース２２に対して相対的に移動するにつれてサイズが大きくなる。エクステンダー２４は、ベース２２で保持され、図１に示す完全な伸長位置と、図３に示す格納位置との間でベース２２に対して相対的に移動可能である。
【００１８】
ここで図２を参照するが、足側デッキ部分２０は、足側デッキ部分２０のベース２２に対する第一の端１１２で接続されたアクチュエータ３０によって作用するとき長さが変わる。アクチュエータ３０の第二の端１１４は、エクステンダー２４に接続されている。アクチュエータ３０は、足側デッキ部分２０を伸長及び格納させて、足側デッキ部分２０の長さおよび保持面２６のサイズを変化させる。
【００１９】
足側デッキ部分２０の伸長および格納は、さまざまな身長の患者を収容するために病院用ベッド１０の長さを修正するために使用することができ、足側デッキ部分２０が図３に示すとおり概ね垂直な位置に移動したとき、足側デッキ部分２０を格納するために使用することもできる。図２および図３に示すとおり、足側デッキ部分２０は、上部フレーム１４上に保持され、上部フレーム１４に対して相対的に旋回する。リニアアクチュエータ８２は、足側デッキ部分２０を保持するクランク８４を、足側デッキ部分２０に旋回するよう結合されているアーム８６とクランク８４のリンク８８とを介して回転させる。リニアアクチュエータ８２は、本体９２に対して相対的に伸長及び格納するロッド９０を含み、アクチュエータ８２は、クランク８４のリンク９４に作用し、これが軸９６を中心にクランクを回転させることになる。リニアアクチュエータ８２の動作により、足側デッキ部分２０を、大腿デッキ部分９８に対して相対的に移動させて、大腿デッキ部分９８の表面１００と足側デッキ部分２０の表面２６が可変の角度１０２を形成するようになる。表面２６と表面１００との間の角度１０２は、足側デッキ部分２０が病院用ベッド１０上で仰向けの姿勢の患者を保持する位置にあるときに表面２６および１００の間で形成される平角に対して可変的である。図３に示すとおり、角度１０２は、足側デッキ部分２０を病院用ベッド１０が椅子状態の離床位置になるよう下降したとき、凡そ２７０°の大きさにまでなり得る。図２に示す椅子状態の離床位置において、上部フレーム１４が椅子状態の離床位置まで下降したとき、足側デッキ部分２０は完全に格納され、床１０４からの大腿デッキ部分９８の高さ１３０を減少させる。
【００２０】
上部フレーム１４は、床１０４に対して傾斜角を変更可能で、少なくとも約７°増加して角度１２８を形成する。一部の実施態様において、角度１２８は、少なくとも１５°にもし得る。この姿勢において、大腿デッキ部分９８は、図３に示すとおり概ね水平の位置であり、椅子状態の離床位置を形成する。足側デッキ部分２０が完全に格納された状態で、高さ１３０は、患者が病院用ベッド１０の足側端部１０８から離床する位置を提供するために減少する。
【００２１】
ここで図２を参照するが、マットレス２８は、足側部分の袋組立品３２、大腿部分の袋組立品３４、および座席部分の袋組立品３６を含む。マットレス２８はまた、図３に示すとおり頭側部分の袋組立品３９を含む。図２のマットレス２８を図３のマットレス２８と比較したときの差異に言及するが、図１の水平方向ベッド位置から図３の椅子状態の離床位置への病院用ベッド１０の移行において、大腿部分の袋組立品３４および足側部分の袋組立品３２が、それぞれいくらかのレベルで収縮することがわかる。例えば、足側部分の袋組立品３２の収縮により、足側部分の袋組立品３２と、病院用ベッド１０の足側端部１０８から離床しようとする患者との衝突が低減される。足側部分の袋組立品３２の収縮は、足側部分の袋組立品３２の領域でのマットレス構造の管理において課題を提起する。なぜなら、収縮によって、足側部分の袋組立品３２を覆うために通常は使用される余分な材料が結果的に垂れ下がる状態になり、病院用ベッド１０を退出する患者がつまずく危険をもたらす可能性があるからである。
【００２２】
説明のための一実施態様において、袋３８は、袋３８の本体４４内に形成される２つの開口部４０および４２を含む。袋３８の本体４４は、マットレス２８上に保持されている患者の脚を保持する。図５に示すとおり、例示した足側部分の袋組立品３２は、それぞれの袋３８のそれぞれの開口部４０が一列に並んで第一の経路を形成するように互いに隣接して配置された、５個の袋３８を含む。同様に、それぞれの袋３８の開口部４２は、第二の経路を形成する。マットレス２８は、マットレス２８のベース５０（図７に図示）に固定された２個のアンカー４６および４８を含む格納管理システム６２を含む。弾性鎖５２は、アンカー４６に固定され、袋３８の開口部４０に位置する。第二の弾性鎖５４は、アンカー４８に固定され、隣接した袋３８の開口部４２内に位置する。鎖５２は、フットボード６０に最も近い袋３８の足側端部１０８側に位置するリテイナー５６に固定される。鎖５４は、フットボード６０に最も近い袋３８の足側端部１０８側に位置するリテイナー５８に固定される。リテイナー５６および５８は、マットレス２８の残りの部分に対して浮動した状態にある。
【００２３】
ここで、図６を参照するが、鎖５２および５４は、袋３８の位置およびサイズを制御するために収縮すると袋３８に作用する。足側部分の袋組立品３２にあるすべての袋３８は、互いに流体連通しているため、すべて同一の圧力である。リテイナー５６および５８は、フットボード６０に最も近い袋３８に作用し、それを隣の袋３８に接して圧迫させる。袋３８を収縮させたとき、袋３８のサイズおよび位置を維持するために足側部分の袋組立品３２が鎖５２および５４と釣り合った状態のままであるよう、鎖５２および５４は、袋３８に作用する一定の力を提供する。
【００２４】
図６に示す構成では、足側デッキ部分２０は格納されており、足側部分の袋組立品３２内の空気の容積が減少するように、足側部分の袋組立品３２は通気されている。ところが、足側部分の袋組立品３２内の圧力が必ずしも減少するわけではないことに注意すべきである。鎖５２および５４の張力により、足側部分の袋組立品３２の動作圧力よりも弱い袋３８に作用する圧力が生じ、鎖は袋３８内の圧力を認識できるほどは増大させず、足側部分の袋組立品３２の位置を制御するだけである。
【００２５】
ここで図７を参照するが、足側端部１０８に最も近い袋３８を、足側端部１０８から図示したもので、袋３８に作用するリテイナー５６および５８を示している。リテイナー５６および５８は、開口部４０および４２を通過する鎖５２および５４と連動し、板５６および５８にそれぞれファスナー７６および７８で固定されたポリマー製の板である。袋３８は、本体４４およびマットレス２８の溝６８内に位置するキー６６を含む。マットレス２８は例証的に発泡体側壁７０および７２と発泡体ベース５０とを含む。側壁７０、７２および溝６８の形状は、マットレス２８の縦方向の長さに沿った袋３８の方向の維持を助ける。
【００２６】
側壁７０、７２にはそれぞれ、図６に示すとおり、足側デッキ部分２０が格納されるとつぶれる、オープンスペースになった多数の穿孔８０が形成されている。こうして、側壁７０および７２は、収縮時に袋３８を保持し誘導するために必要な形状を維持する。図７からわかるとおり、マットレスは、マットレス２８の構成要素を包む丈夫な亜麻布（ticking）１３２で包まれている。
【００２７】
図８および図９に示す袋組立品１３２の別の実施態様において、袋１３８は上側リテイナー１４２および下側リテイナー１４４を含む格納管理システム１４０で包まれている。上側リテイナー１４２および下側リテイナー１４４は、袋組立品１３２の反対側に位置する第一のバイアス部材１４６および第二のバイアス部材１４８で接続されている。図８および図９では１つの袋１３８のみが見えるが、足側部分の袋組立品３２の構成と同様に、複数の袋１３８が互いに隣接して位置し得ることが理解されるべきである。袋組立品１３２内の空気の容積が減少したとき、格納管理システム１４０は、袋１３８をまとめて保持し、図８と図９との深さ１５０の変化で示すとおり、袋組立品１３２の深さ１５０を減少させることにより、袋１３８の位置を制御する。バイアス部材１４６および１４８は、袋組立品１３２が収縮したとき、袋１３８の位置を制御するのに十分な力を発生させる。
【００２８】
さらに、図１０および図１１に示す別の実施態様において、袋組立品１６２のための格納管理システム１６０は、マットレス２２８の反対側に位置する２個のバイアス部材１６４および１６６を含む。格納管理システム１６０はまた、バイアス部材１６４および１６６を足側デッキ部分２０に固定する２個のアンカー１６８および１７０も含む。２個のリテイナー１７２および１７４は、丈夫な亜麻布１７６の上部表面１８０にわたり張力１７８が生じるように、バイアス部材１６４および１６６をマットレス２２８の丈夫な亜麻布１７６に固定する。袋組立品１６２が収縮すると、バイアス部材１６４および１６６によって、マットレス２２８の深さ１８２が減少するように、丈夫な亜麻布１７６の上部表面１８０が足側デッキ部分２０の方向に引っ張られる。すべての余分な材料が、丈夫な亜麻布１７６の上部表面１８０とバイアス部材１６４および１６６との間に引き込まれてそこに収納され、材料がデッキ部分２０の近接位置に維持されるようになる。
【００２９】
一部の実施態様において、足側部分の袋組立品３２に関連して開示された袋を貫く開口部の使用は、格納管理システム１４０および１６０と関連して使用することもできることが意図されている。こうして、複合的な格納管理システムは、袋組立品の長さと深さの両方を複合的格納管理システムによって制御し得るように、格納管理システム１４０または１６０と併用する格納管理システム６２と類似した格納管理システムを含み得る。
【００３０】
一定の例証的な実施態様について上記に詳細に説明してきたが、下記の請求項で説明および定義されるこの開示内容の範囲および精神内で、変形や変更が存在する。
【図１】
2012139486.tif 000003
【図２】
2012139486.tif 000004
【図３】
2012139486.tif 000005
【図４】
2012139486.tif 000006
【図５】
2012139486.tif 000007
【図６】
2012139486.tif 000008
【図７】
2012139486.tif 000009
【図８】
2012139486.tif 000010
【図９】
2012139486.tif 000011
【図１０】
2012139486.tif 000012
【図１１】
2012139486.tif 000013
【外国語明細書】
2012139486.tif 000014
2012139486.tif 000015
2012139486.tif 000016
2012139486.tif 000017
2012139486.tif 000018
2012139486.tif 000019
2012139486.tif 000020
2012139486.tif 000021
2012139486.tif 000022
2012139486.tif 000023
2012139486.tif 000024
2012139486.tif 000025
2012139486.tif 000026
2012139486.tif 000027
2012139486.tif 000028
2012139486.tif 000029
2012139486.tif 000030
2012139486.tif 000031
2012139486.tif 000032